(57)【要約】【課題】  広幅の巻取を巻き戻し、複数の狭幅巻取に切断し、各狭幅巻取を複数の巻芯軸に巻き取り、複数の小巻を作るスリッター装置の巻き替え作業において、スリッター装置の巻き替え作業による停止時間を短縮する。【解決手段】  巻芯軸を保持する第１の保持軸を複数備える第１の保持軸組と、巻芯軸を保持する第２の保持軸を複数備える第２の保持軸組とを備え、第１の保持軸が、第１の保持軸の終端の一方を該スリッター装置の第１の連結部により連結し、第１の連結部を軸とする第１の回転機構により水平方向に回転し、第２の保持軸が、第２の保持軸の終端の一方を第１の保持軸と反対位置の該スリッター装置の第２の連結部により連結し、第２の連結部を軸とする第２の回転機構により、第１の保持軸と反対方向に回転するように構成したことを特徴とするスリッター装置を提供する。【選択図】  図１
2005035749.tif 000002
【特許請求の範囲】
【請求項１】
広幅の巻取を巻き戻し、複数の狭幅巻取に切断し、各狭幅巻取を複数の巻芯軸に巻き取り、複数の小巻を作るスリッター装置であって、
前記巻芯軸を保持する第１の保持軸を複数備える第１の保持軸組と、
前記巻芯軸を保持する第２の保持軸を複数備える第２の保持軸組とを備え、
前記第１の保持軸が、
前記第１の保持軸の終端の一方を該スリッター装置の第１の連結部により連結し、前記第１の連結部を軸とする第１の回転機構により水平方向に回転し、
前記第２の保持軸が、
前記第２の保持軸の終端の一方を前記第１の保持軸と反対位置の該スリッター装置の第２の連結部により連結し、前記第２の連結部を軸とする第２の回転機構により、前記第１の保持軸と反対方向に回転する、
ことを特徴とするスリッター装置。
【請求項２】
請求項１記載のスリッター装置であって、
前記第１の保持軸組および前記第２の保持軸組が、
切断した狭幅巻取の巻取作業と、次の巻取作業の準備である巻き替え作業とを、各々の保持軸組において分担することにより、同時実行可能である、
ことを特徴とするスリッター装置。
【発明の詳細な説明】
【技術分野】
【０００１】
本発明は、広幅の巻取を巻き戻し、複数の狭幅巻取に切断し、各狭幅巻取を複数の巻芯軸に巻き取り、複数の小巻を作るスリッター装置に関するものである。
【背景技術】
【０００２】
広幅の巻取を巻き戻し、レザー刃などによって複数の狭幅巻取に切断し、各狭幅巻取を複数の巻芯軸（紙巻）に巻き取り、複数の小巻を作るスリッターと呼ばれる装置がある（例えば、特許文献１参照。）。
【特許文献１】実公平７−５６２７４号公報  係るスリッター装置は、狭幅巻取が所定の径まで巻き上がると停止し、各小巻の巻終端を切断した後、装置本体から結合状態のまま移動した保持軸から小巻を取り外し、保持軸の所定の位置に新たな巻芯軸を装着し、この新たな巻芯軸に切断端の一部をテープなどにより接合し、新たな巻取作業の準備を行う。この一連の作業を巻き替え作業と呼ぶ。
【０００３】
スリッター装置は、巻取径の大きな広幅巻取から、巻取径が小さな複数の小巻を生成する装置であるため、巻き替え作業が頻繁に発生し、スリッター装置の切断動作の速度を上げても、巻き替え作業によりスリッター装置の生産効率が低下してしまうという問題がある。
【発明の開示】
【発明が解決しようとする課題】
【０００４】
本発明は、上述の問題を解決するためになされたものであり、スリッター装置の巻き替え作業による停止時間を短縮することを目的とする。
【課題を解決するための手段】
【０００５】
上記課題を解決するために、本発明の第１の態様は、広幅の巻取を巻き戻し、複数の狭幅巻取に切断し、各狭幅巻取を複数の巻芯軸に巻き取り、複数の小巻を作るスリッター装置において、前記巻芯軸を保持する第１の保持軸を複数備える第１の保持軸組と、前記巻芯軸を保持する第２の保持軸を複数備える第２の保持軸組とを備え、前記第１の保持軸が、前記第１の保持軸の終端の一方を該スリッター装置の第１の連結部により連結し、前記第１の連結部を軸とする第１の回転機構により水平方向に回転し、前記第２の保持軸が、前記第２の保持軸の終端の一方を前記第１の保持軸と反対位置の該スリッター装置の第２の連結部により連結し、前記第２の連結部を軸とする第２の回転機構により、前記第１の保持軸と反対方向に回転するように構成したものである。
【０００６】
本発明の第２の態様は、上述の第１の態様に係るスリッター装置において、前記第１の保持軸組および前記第２の保持軸組が、切断した狭幅巻取の巻取作業と、次の巻取作業の準備である巻き替え作業とを、各々の保持軸組において分担することにより、同時実行可能にしたものである。
【発明の効果】
【０００７】
スリッター装置の小巻を巻き取る複数の保持軸の保持軸組を、各々他の保持軸組と異なる終端により連結し、該連結部を軸として保持軸を水平方向に回転させることにより、一方の保持軸組において巻き替え作業を可能にすることにより、巻き替え作業の時間を短縮し、他方の保持軸において巻取作業、すなわちスリッター装置を稼動させることが可能になる。
【発明を実施するための最良の形態】
【０００８】
以下、本発明を図示する実施例に基づき説明する。図１は、本発明のスリッター装置の斜視図である。２本の保持軸を備える２組の保持軸組を有するスリッター装置について説明する。
【０００９】
スリッター装置は、左右の装置フレームの各々２箇所ある連結部を軸とする回転機構および反対側装置フレームのクラッチ付きの駆動源により、上下に２本の保持軸が一対となった保持軸組が２組備わっている。
【００１０】
第１の保持軸組１は、向かって右側の装置フレームの駆動源２、３において装置フレームより切り離し、向かって左側の装置フレームの連結部を支点として回転機構４、５により、時計周りに水平方向の回転を行う２本の保持軸を備えている。
【００１１】
第２の保持軸組６は、第１の保持軸組１とは反対に、向かって左側の装置フレームの駆動源７、８において装置フレームより切り離し、向かって右側の装置フレームの連結部を支点として回転機構９、１０により、反時計周りに水平方向の回転を行う保持軸を備えている。
【００１２】
第１の保持軸組１と第２の保持軸組６は、図１に示す通り、お互いに異なる装置フレームの連結部において連結されており、それぞれの回転機構により、各々別の装置フレーム側に移動（例えば、装置に対して９０°を成す位置に移動）するようになっている。
【００１３】
以下、本発明のスリッター装置の動作および操作について説明する。図１に示した例のように、第１の保持軸組１が、駆動源２、３により駆動し、切断した狭幅巻取の巻き取り作業を実行している間に、第２の保持軸組６は、回転機構９、１０により水平方向に回転して所定の位置へ移動し、新しい巻芯軸を所定位置への取り付けておく。
【００１４】
第１の保持軸組１の２つの保持軸において、巻き取る小巻が所定の巻取径に到達した場合、スリッター装置を一時的に停止し、巻終端を切断する。
【００１５】
小巻を保持したままの状態で、駆動源２、３において第１の保持軸組１を装置フレームより切り離し、回転機構４、５により第１の保持軸組１をスリッター装置の向かって左側に移動する。
【００１６】
第１の保持軸組１を移動した直後に、新しい巻芯軸を所定の位置に取り付けてある第２の保持軸組６を、回転機構９、１０により水平方向に回転させ、駆動源７、８においてスリッター装置に結合する。
【００１７】
第２の保持軸組６に取り付けた新しい巻芯軸に切断端の一部をテープなどで接合し、運転を再開し、第２の保持軸組６において巻取作業を行う。
【００１８】
第２の保持軸組６により運転を再開した後、移動してある第１の保持軸組１に保持している複数の小巻を取り外し、且つ、次の巻取作業のための新しい巻芯軸を保持軸の所定の位置に取り付け、待機する。
【００１９】
第２の保持軸組６の巻取作業が完了したら、再度第１の保持軸組１と入れ替える。これを繰り返し行う。
【００２０】
この結果、スリッター装置の運転中に、次の小巻のための巻き替え作業を予め行っておくことが可能になり、スリッター装置の停止時間を短縮することができる。
【図面の簡単な説明】
【００２１】
【図１】本発明のスリッター装置の斜視図である。
【符号の説明】
【００２２】
１  第１の保持軸組
２、３、７、８  クラッチ付き駆動源
４、５、９、１０  回転機構
６  第２の保持軸組
【図１】
2005035749.tif 000003